(57)【要約】【課題】  入賞した遊技球の挙動の単調さを解消して遊技に対する興趣を高めることが可能なパチンコ機の可変入賞装置を提供すること。【解決手段】  遊技球が入賞しにくい閉成状態と入賞しやすい開放状態とに切替自在に設けられた可動片を備えたパチンコ機の可変入賞装置であって、可動片１７の開放中に流入する遊技球を誘導路１８を介して転動手段２５の入口部２７ａに誘導するように設け、転動手段は、遊技球の通過を許容する大きさの複数の通過孔を胴部に形成した筒体２６内に螺旋部材３８を配設すると共に当該筒体と螺旋部材を別々に回転駆動させるモータ装置３５を設けてなり、入口部２７ａに導かれる入賞球を筒体２６の内周面と螺旋部材３８の外周面とで生ずる空間内を転動させつつ通過孔の何れか又は筒体の出口部２７ｂから落下させ、その入賞球の落下する位置によって特定領域への入賞確率を異ならせる。【選択図】  図６
2006325964.tif 000002
【特許請求の範囲】
【請求項１】
遊技球が入賞しにくい閉成状態と入賞しやすい開放状態とに切替自在に設けられた可動片を備えたパチンコ機の可変入賞装置であって、
前記可動片の開放中に流入する遊技球を誘導路を介して転動手段の入口部に誘導するように設け、その転動手段は、遊技球の通過を許容する大きさの複数の通過孔が胴部に形成された筒体内に螺旋部材を配設すると共に当該筒体と螺旋部材を別々に回転駆動させる駆動手段を設けてなり、前記入口部に導かれる入賞球をそれら駆動手段の作動によって前記筒体の内周面と螺旋部材の外周面とで生ずる空間内を転動させつつ前記通過孔の何れか又は当該筒体の出口部から落下させ、その入賞球の落下する位置によって特定領域への入賞確率を異ならせるように構成したことを特徴とするパチンコ機の可変入賞装置。
【請求項２】
前記筒体及び螺旋部材の回転速度を所定条件によって変化させるように制御することを特徴とする請求項１に記載のパチンコ機の可変入賞装置。
【発明の詳細な説明】
【技術分野】
【０００１】
本発明は、パチンコ機の可変入賞装置に関するものである。
【背景技術】
【０００２】
従来のいわゆる第２種タイプのパチンコ機は、遊技領域に打ち込まれた遊技球が遊技領域に配置された始動口へ入賞することにより可変入賞装置の可動片を開放させ、そこに入賞した遊技球が当該可変入賞装置内を役物を介して通過し特定領域にまで到達することにより「大当たり状態」とする構造とされている。この種のパチンコ機においては、可変入賞装置に組み込まれた役物の動きが一定であるものも多く、これらのパチンコ機では可変入賞装置内に入賞した遊技球の挙動が単調になってしまうため、遊技者にとっては興趣を維持するのが難しいという問題があった。
【０００３】
また、遊技性に興趣味を持たせるために、例えば、可変入賞装置内に回転式等の可動体を設けて当該可動体に拾われた遊技球が特定領域に誘導されるような構造のものも実施されている。ところが、これらの遊技機においては、特定領域に入賞し易くなる可動体の動きにタイミングを合わせて遊技球を発射するという攻略をされてしまうので、パチンコホール側にとっては想定外の不利益を生ずる危惧があった。
【０００４】
特開２００４−１３５７０３号公報には、入球口に流入した球を所定位置まで導く球誘導路と、その球誘導路に沿って球を移送する回転体を有し、その回転体が外周面の一端から他端部に向けて螺旋状をなすと共に該誘導路の一端から他端を越える位置まで球を移送する球送り溝が形成され、その球送り溝の他端部近傍に、球誘導路の他端を越えた球を放出する球放出部が形成された遊技機の入球装置が開示されている。この入球装置は第３種始動装置として用いられる入賞装置であって可変入賞装置ではないが、回転体として螺旋部材が採用されている。
【０００５】
特開２００４−２６１３５１号公報には、遊技球に吸引力を作用する遊技球保持部と、その遊技球保持部の外表面に部分的に被着され、遊技球保持部に吸引された状態の遊技球を移送する遊技球移送部を有する遊技球移動手段を配置した入賞装置が開示されている。この入賞装置は可変入賞装置ではないが、遊技球を移送する構成要素として螺旋部材が採用されている。
【特許文献１】特開２００４−１３５７０３号公報
【特許文献２】特開２００４−２６１３５１号公報
【発明の開示】
【発明が解決しようとする課題】
【０００６】
本発明の目的は、入賞した遊技球の挙動の単調さを解消して遊技に対する興趣を高めることが可能なパチンコ機の可変入賞装置を提供することにある。
【課題を解決するための手段】
【０００７】
前記目的を達成するために請求項１に記載した発明は、遊技球が入賞しにくい閉成状態と入賞しやすい開放状態とに切替自在に設けられた可動片を備えたパチンコ機の可変入賞装置であって、前記可動片の開放中に流入する遊技球を誘導路を介して転動手段の入口部に誘導するように設け、その転動手段は、遊技球の通過を許容する大きさの複数の通過孔が胴部に形成された筒体内に螺旋部材を配設すると共に当該筒体と螺旋部材を別々に回転駆動させる駆動手段を設けてなり、前記入口部に導かれる入賞球をそれら駆動手段の作動によって前記筒体の内周面と螺旋部材の外周面とで生ずる空間内を転動させつつ前記通過孔の何れか又は当該筒体の出口部から落下させ、その入賞球の落下する位置によって特定領域への入賞確率を異ならせるように構成したことを特徴とする。
【０００８】
同様の目的を達成するために請求項２に記載した発明は、請求項１に記載のパチンコ機の可変入賞装置において、前記筒体及び螺旋部材の回転速度を所定条件によって変化させるように制御することを特徴とするものである。
【発明の効果】
【０００９】
（請求項１の発明）
このパチンコ機の可変入賞装置は、入賞球を駆動手段の作動によって筒体と螺旋部材とで生ずる空間内を転動させつつ通過孔の何れか又は当該筒体の出口部から落下させ、その入賞球の落下する位置によって特定領域への入賞確率を異ならせるように構成しているので、入賞球がどこに落下するかに一喜一憂することができ、遊技球の挙動の単調さが解消されて遊技に対する興趣を高めることが可能である。
【００１０】
（請求項２の発明）
このパチンコ機の可変入賞装置は、筒体及び螺旋部材の回転速度を所定条件によって変化させるように制御しており、遊技者は特定領域を狙うようなタイミングで遊技球を打ち出すことができなくなるので、パチンコホール側では想定外の不利益を蒙ることがなくなる。
【発明を実施するための最良の形態】
【００１１】
以下に、本発明の最良の形態例を図面に基づいて説明する。図１は本発明が適用されたパチンコ機の正面図、図２は本発明に係る可変入賞装置の斜視図、図３は螺旋部材を除いて示す転動手段の斜視図、図４は筒体の支持構造を示す説明図、図５は転動手段の要部の断面図、図６は転動手段における遊技球の挙動を説明する模式図（イ）及び（ロ）である。
【００１２】
図１に示すように、本発明が適用されたパチンコ機Ｐは、長方形状外枠１の前面の左側部に前面枠３を一対のヒンジ金具２ａ，２ｂにより軸支して開閉自在に設けている。その前面枠３には、ほぼ中央に形成された大きな開口部４に遊技盤９の前面を覆う透明ガラス板５を装着し、その開口部４の下方に貯留皿６、遊技球発射装置の発射ハンドル７等を配設している。８は遊技に関連する操作を遊技者が行なうために設けられた選択釦である。
【００１３】
遊技盤９の図示しない遊技レールによって区画される遊技領域ｒには、左右一対の可動片１７を備えた可変入賞装置１０、始動口５０ａ〜５０ｃ、図示しない誘導釘や風車等を配設している。しかして、このパチンコ機Ｐは、始動口５０ａ又は始動口５０ｃに遊技球が入賞することによって可変入賞装置１０の可動片１７を１回、始動口５０ｂに遊技球が入賞すれば可動片１７を２回だけ開閉し、その開放中の可動片１７内に入った遊技球が特定領域である特定入賞口１９に入賞することによって「大当たり状態」を発生するという基本的構成とされている。
【００１４】
図１、図２において、可変入賞装置１０の本体１１には、上面を円弧形とした天部１２の下方に緩やかな傾斜面を有する山形状の転動部１３が設けられ、その転動部１３の左右端部に形成された切欠１３ａ，１３ｂに遊技球の通過を検出する検出スイッチ１４，１５を夫々装着している。それら検出スイッチ１４，１５の近傍には、遊技球が入賞しにくい閉成状態と入賞しやすい開放状態とに図示しない駆動手段によって切替自在とされた左右一対の可動片１７を設けている。なお、その閉成状態とは、それら可動片１７が起立して上記天部１２と転動部１３の左右端部との間に生ずる入賞口としての流入口ｉを塞ぐことである。他方、開放状態とは、それら可動片１７が逆ハ字形に開いて流入口ｉを開放し、遊技領域に打ち込まれた遊技球を受け入れることができる状態を意味する。
【００１５】
１８は上記流入口ｉから流入して検出スイッチ１４，１５の透孔１４ａ，１５ａを通過した遊技球を後記転動手段２５の入口部２７ａに誘導するための誘導路である。この誘導路１８の出口１８ａは、図２に示すように、左側の検出スイッチ１４の下方に配置されている。また、本体１１の下方中央には特定入賞口１９を設けると共に当該特定入賞口１９の直下方に非特定領域としての外れ穴２０を設けている。その特定入賞口１９の両側には左方通路ｅ、右方通路ｇを設けるための側壁２１ａ，２１ｂが形成されている。それら側壁２１ａ，２１ｂの上部は、凹円弧形に形成されている。また、他方の側壁２１ｂの右側には、外れ通路ｈを形成するための側壁２１ｃを設けている。そして、特定入賞口１９に入賞しない遊技球は、左方通路ｅ，右方通路ｇ若しくは外れ通路ｈの何れかを通って外れ穴２０に流入するように設けられている。
【００１６】
転動手段２５は、上記誘導路１８から誘導される遊技球を筒体２６内を転動させつつ図６に示す左方通路ｅ、中央通路ｆ、右方通路ｇ、外れ通路ｈのいずれかに落下させる装置である。図３に示すように、その筒体２６は、円形で両端を開放されていて、遊技球の通過を許容する大きさの複数の、ここでは３個の第１通過孔２８ａ、第２通過孔２８ｂ、第３通過孔２８ｃを胴部２６ａに形成し、出口部２７ｂの外周にギア２９を一体に設けている。その胴部２６ａには、入口部２７ａの外周面と、第２通過孔２８ｂと第３通過孔２８ｃとの間の外周面に環状溝３０ａ，３０ｂが形成されている。
【００１７】
上記筒体２６については、プラスチック材料により不透明又は透明の形態に設けられている。しかして、筒体２６を不透明とした場合には、入賞球の転動する様子が遊技者から見えないことから当該入賞球が何れの箇所から落下するかにワクワクするような期待感をいだかせるように演出することが可能である。他方、筒体２６を透明とした場合には、遊技者に対して入賞球の転動する様子を見ながら入賞球が何れの箇所から落下するかに期待感をいだかせることができて遊技に対する興趣が高められる。
【００１８】
３１は本体１１から前方へ突設された左右一対の支持部材である。図４に示すように、これら支持部材３１は、円弧形アーム３２の中央部と両端部にローラー３３を夫々回転自由に取付け、これらローラー３３に上記筒体２６の環状溝３０ａ，３０ｂを装着することにより当該筒体２６を回転可能に設けている。また、筒体２６のギア２９には、本体１１に設置された駆動手段であるモータ装置３５の出力軸３５ａに取り付けたギア３６を噛合させている。しかして、筒体２６は、モータ装置３５によりギア３６を回転駆動させることにより設定速度で一定方向に回転制御されるように設けられている。
【００１９】
３８は筒体２６の中心部に配設されて回転可能に支持された螺旋部材である。この螺旋部材３８の一端部３８ａに取付けられたギア３９には、本体１１に設置された駆動手段であるモータ装置４０の出力軸４０ａに取り付けられたギア４１を噛合させている。しかして、螺旋部材３８は、モータ装置４０によりギア４１を回転駆動させることにより所定速度で一定方向に回転制御されるように設けられている。なお、その螺旋部材３８の螺旋溝３８ｂについては、誘導路１８の出口１８ａに臨むように設けられている。
【００２０】
これにより、誘導路１８の出口１８ａから筒体２６の入口部２７ａに導かれる入賞球をモータ装置３５とモータ装置４０の共同作動によって筒体の２６内周面２６ｂと螺旋部材３８の螺旋溝（外周面）３８ｂとで生ずる空間ｓ内を転動させつつ第１通過孔２８ａ、第２通過孔２８ｂ、第３通過孔２８ｃの何れか又は出口部２７ｂから落下させ、その入賞球の落下する位置によって特定入賞口１９への入賞確率を異ならせるパチンコ機の可変入賞装置１０が構成される。
【００２１】
つぎに、本発明のパチンコ機における可変入賞装置１０の作用について図面に基づいて説明する。
（１）遊技領域に打ち込まれた遊技球が遊技領域ｒに配置された始動口５０ａ又は始動口５０ｃに遊技球が入賞すると、可変入賞装置１０の左右一対の可動片１７が１回開閉される。
（２）その可動片１７の開放時に遊技領域に打ち込まれた遊技球が流入口ｉに入れば、その遊技球（入賞球）は転動部１３の斜面を転動して何れかの検出スイッチ１４，１５の透孔１４ａ，１５ａを通過し、誘導路１８を通って出口１８ａまで誘導される。
（３）その出口１８ａから筒体の入口部２７ａに誘導される遊技球ａは、図６に示すように、モータ装置３５とモータ装置４０の作動によって筒体の２６内周面２６ｂと螺旋部材３８の螺旋溝３８ｂとで生ずる空間ｓ内を転動する。
（４）図６（イ）において、遊技球ａが第１通過孔２８ａの位置と一致したときには、遊技球ａは第１通過孔２８ａから落下して側壁２１ａの上部に当たって跳ね返り、特定入賞口１９へ入賞する可能性がある。遊技球ａが特定入賞口１９に入賞しなかった場合には、左方通路ｅ若しくは右方通路ｇを通って外れ穴２０に入る。また、出口部２７ｂから落下した遊技球ｃは、外れ通路ｈを通って外れ穴２０に入る。
（５）図６（ロ）において、遊技球ｂが第２通過孔２８ｂの位置と一致したときには、遊技球ｂは第２通過孔２８ｂから落下して特定入賞口１９に入賞しやすい。しかして、遊技球ｂが特定入賞口１９に入賞すれば、「大当たり状態」となる。
【００２２】
また、遊技領域ｒを流下した遊技球が始動口５０ｂに入賞した場合には、可動片１７が２回だけ開閉するが、それ以後の作用については前記（２）以下に記載した内容に準ずる。
【００２３】
上記筒体２６と螺旋部材３８の回転速度及び回転方向については、遊技球が何れの始動口５０ａ、始動口５０ｃ、始動口５０ｂに入賞したかによって変化させる方法、「大当たり状態」の如何によって変化させる方法、何れかの第１通過孔２８ａ、第２通過孔２８ｂ、第３通過孔２８ｃが真下に位置するときに遅く回転させ、それ以外の位置にあるときに速く回転させるという方法等を採用することにより、遊技に対する興趣を高めることが可能である。
【００２４】
以上に述べた通り、このパチンコ機の可変入賞装置は、入賞球を駆動手段の作動によって筒体と螺旋部材とで生ずる空間内を転動させつつ通過孔又は当該筒体の出口部から落下させ、その入賞球の落下する位置によって特定領域への入賞確率を異ならせるように構成しているので、入賞球がどこに落下するかに一喜一憂することができ、遊技球の挙動の単調さが解消されて遊技に対する興趣を高めることが可能である。
【図面の簡単な説明】
【００２５】
【図１】本発明が適用されたパチンコ機の正面図
【図２】本発明に係る可変入賞装置の斜視図
【図３】螺旋部材を除いて示す転動手段の斜視図
【図４】筒体の支持構造を示す説明図
【図５】転動手段の要部の断面図
【図６】転動手段における遊技球の挙動を説明する模式図（イ）及び（ロ）
【符号の説明】
【００２６】
Ｐ・・・パチンコ機
１０・・・可変入賞装置
１７・・・可動片
１８・・・誘導路
１９・・・特定入賞口
２０・・・外れ穴
２５・・・転動手段
２６・・・筒体
２６ａ・・・胴部  ２６ｂ・・・内周面
２７ａ・・・入口部  ２７ｂ・・・出口部
２８ａ・・・第１通過孔
２８ｂ・・・第２通過孔
２８ｃ・・・第３通過孔
３５・・・モータ装置（駆動手段）
３８・・・螺旋部材  ３８ｂ・・・螺旋溝
４０・・・モータ装置
ｉ・・・流入口（入賞口）
ｓ・・・空間
【図１】
2006325964.tif 000003
【図２】
2006325964.tif 000004
【図３】
2006325964.tif 000005
【図４】
2006325964.tif 000006
【図５】
2006325964.tif 000007
【図６】
2006325964.tif 000008